(57)【要約】【課題】製本された各原稿の読み取りと並行して読み取った原稿の画像形成ができるようにする。【解決手段】画像形成装置は、製本された各原稿を順次読み取り、画像データを取得する原稿読取装置１０と、原稿読取装置１０が順次取得した各画像データをそれぞれ前半ページの画像データと後半ページの画像データとに順次分割する画像分割部２１２と、原稿読取装置１０による原稿の読み取り中に、前半ページの各画像データと後半ページの各画像データの一方に基づく画像形成を、前半ページの各画像データと後半ページの各画像データの他方に基づく画像形成に先立って開始する画像出力制御部２１０及び画像形成ユニット２２０と、を備える。【選択図】図１
2011188251.tif 000002
【特許請求の範囲】
【請求項１】
製本された各原稿を順次読み取り、画像データを取得する取得手段と、
前記取得手段が順次取得した各画像データをそれぞれ前半部分の画像データと後半部分の画像データとに順次分割する分割手段と、
前記分割手段が分割した前記前半部分の各画像データ及び前記後半部分の各画像データを基に、記録媒体に画像形成する画像形成手段と、
前記取得手段による前記原稿の読み取り中に、前記前半部分の各画像データと前記後半部分の各画像データとの一方に基づく前記画像形成を、前記前半部分の各画像データと前記後半部分の各画像データとの他方に基づく前記画像形成に先立って開始する開始手段と、
を備える画像形成装置。
【請求項２】
前記画像形成手段は、前記前半部分の画像データ又は前記後半部分の画像データが、前記原稿において何も印刷されていない部分のものであるときは、該画像データを基に前記画像形成をしない請求項１に記載の画像形成装置。
【請求項３】
前記前半部分の各画像データと前記後半部分の各画像データとの他方が蓄積される蓄積手段を備え、
前記画像形成手段は、前記蓄積手段に蓄積された前記前半部分の各画像データと前記後半部分の各画像データとの他方を基に、記録媒体に画像形成する請求項１又は２に記載の画像形成装置。
【請求項４】
製本された各原稿を順次読み取り、画像データを取得する取得手段と、
前記取得手段が順次取得した各画像データをそれぞれ前半部分の画像データと後半部分の画像データとに順次分割する分割手段と、
前記分割手段が分割した前記前半部分の各画像データ及び前記後半部分の各画像データを基に、記録媒体に画像形成する画像形成手段と、
前記取得手段による前記原稿の読み取り中に、前記前半部分の各画像データと前記後半部分の各画像データとの一方に基づく前記画像形成を、前記前半部分の各画像データと前記後半部分の各画像データとの他方に基づく前記画像形成に先立って開始する開始手段と、
をコンピュータに実行させるコンピュータに読取可能な制御プログラム。
【発明の詳細な説明】
【技術分野】
【０００１】
本発明は、画像形成装置及び制御プログラムである。
【背景技術】
【０００２】
特許文献１には、製本ページ連写モードが設定されると、用紙束の用紙毎に、その用紙の一方の面の左半分の画像、その一方の面の右半分の画像、他方の面の左半分の画像、他方の面の右半分の画像を読み取るようにリーダ部が制御されるとともに、各読み取られた左半分、右半分の画像毎にその画像を１枚の記録紙に形成するようにプリンタ部を制御する画像形成装置が開示されている。
【０００３】
また、特許文献２には、製本モードの各原稿の両面を順に読み取り、読み取った画像データを分割して記憶部に記憶し、その記憶部上で画像データを正しい順序に再配列した後に、再配列されたページを出力する画像形成装置が開示されている。
【先行技術文献】
【特許文献】
【０００４】
【特許文献１】特開平９−２３３２９号公報
【特許文献２】特開２００７−３２４７３９号公報
【発明の概要】
【発明が解決しようとする課題】
【０００５】
本発明の目的は、製本された各原稿の読み取りと並行して読み取った原稿の画像形成ができるようにすることである。
【課題を解決するための手段】
【０００６】
請求項１に記載の発明は、製本された各原稿を順次読み取り、画像データを取得する取得手段と、前記取得手段が順次取得した各画像データをそれぞれ前半部分の画像データと後半部分の画像データとに順次分割する分割手段と、前記分割手段が分割した前記前半部分の各画像データ及び前記後半部分の各画像データを基に、記録媒体に画像形成する画像形成手段と、前記取得手段による前記原稿の読み取り中に、前記前半部分の各画像データと前記後半部分の各画像データとの一方に基づく前記画像形成を、前記前半部分の各画像データと前記後半部分の各画像データとの他方に基づく前記画像形成に先立って開始する開始手段と、を備える画像形成装置である。
【０００７】
請求項２に記載の発明は、請求項１の記載において、前記画像形成手段は、前記前半部分の画像データ又は前記後半部分の画像データが、前記原稿において何も印刷されていない部分のものであるときは、該画像データを基に前記画像形成をしない画像形成装置である。
請求項３に記載の発明は、請求項１又は２の記載において、前記前半部分の各画像データと前記後半部分の各画像データとの他方が蓄積される蓄積手段を備え、前記画像形成手段は、前記蓄積手段に蓄積された前記前半部分の各画像データと前記後半部分の各画像データとの他方を基に、記録媒体に画像形成する画像形成装置である。
【０００８】
請求項４に記載の発明は、製本された各原稿を順次読み取り、画像データを取得する取得手段と、前記取得手段が順次取得した各画像データをそれぞれ前半部分の画像データと後半部分の画像データとに順次分割する分割手段と、前記分割手段が分割した前記前半部分の各画像データ及び前記後半部分の各画像データを基に、記録媒体に画像形成する画像形成手段と、前記取得手段による前記原稿の読み取り中に、前記前半部分の各画像データと前記後半部分の各画像データとの一方に基づく前記画像形成を、前記前半部分の各画像データと前記後半部分の各画像データとの他方に基づく前記画像形成に先立って開始する開始手段と、をコンピュータに実行させるコンピュータに読取可能な制御プログラムである。
【発明の効果】
【０００９】
請求項１、４に記載の発明によれば、製本された各原稿の読み取りと並行して読み取った原稿の画像形成ができる。
請求項２に記載の発明によれば、原稿において何も印刷されていない部分の画像形成も行う場合と比較して、全原稿についての画像形成完了時間を早くできる。
請求項３に記載の発明によれば、前半部分の各画像データと後半部分の各画像データとの他方だけを蓄積手段に蓄積するだけなので、本構成を備えない場合に比べ、蓄積手段の記憶容量を少なくできる。
【図面の簡単な説明】
【００１０】
【図１】本実施形態の画像形成装置の構成を示す図である。
【図２】画像形成装置において電気的に接続される構成を示すブロック図である。
【図３】原稿読取装置の構成を示す図である。
【図４】処理装置の構成を示すブロック図である。
【図５】製本された原稿の説明に使用した図である。
【図６】製本された原稿の説明に使用した図であり、冊子の状態として示す図である。
【図７】画像出力制御部を機能的に示すブロック図である。
【図８】出力形式判定部の処理手順を示すフローチャートである。
【図９】出力形式判定部が製本原稿対応の出力を行う決定をした場合の処理手順を示すフローチャートである。
【図１０】原稿読取装置が取得した画像データの説明に使用した図である。
【図１１】画像出力制御部の処理内容の説明に使用した図である。
【図１２】画像形成装置により画像形成された記録媒体の説明に使用した図である。
【図１３】画像形成された記録媒体の排出処理の処理手順を示すフローチャートである。
【発明を実施するための形態】
【００１１】
図１は、本実施形態の画像形成装置の概略構成図である。図２は、画像形成装置において電気的に接続される構成を示すブロック図である。
図１及び図２に示すように、画像形成装置は、原稿読取装置１０及び画像形成装置本体２００を有する。また、図２に示すように、画像形成装置は、システム制御部２０１、記憶部２０２、ユーザーインターフェース２０３、画像出力制御部２１０、画像形成ユニット２２０、及びＨＤＤ（Hard Disk Drive）２０４を有する。図２に示すように、これらシステム制御部２０１等の相互間、及びこれらシステム制御部２０１等と原稿読取装置１０との間は電気的に接続されデータの送受信が可能とされている。また、図２に示すように、システム制御部２０１、記憶部２０２、ユーザーインターフェース２０３、画像出力制御部２１０、画像形成ユニット２２０、及びＨＤＤ２０４は、画像形成装置本体２００において構成されている。例えば、システム制御部２０１及び記憶部２０２は、画像形成装置において演算処理部として構成されている。
【００１２】
システム制御部２０１は、画像形成装置全体の処理を行うように構成されている。記憶部２０２には、システム制御部２０１や画像出力制御部２１０等が処理に使用するプログラム２０２ａ及びデータ等が記憶されている。
ここで、プログラム２０２ａは、画像形成装置の出荷時当初から記憶部２０２に記憶されているものとすることもできるが、出荷後に使用者等の作業によりＣＤ−ＲＯＭ等の記憶媒体から読み込まれて記憶部２０２に記憶されたものとすることもできる。
【００１３】
ユーザーインターフェース２０３は、使用者に通知する内容を表示する表示デバイス（表示部）と使用者の指示内容が入力される入力部とを有する。例えば、製本された原稿を複製する場合、使用者は、ユーザーインターフェース２０３の表示部に表示される内容に従って原稿の複製に必要な情報を入力部に入力する。ここで、原稿の複製に必要な情報としては、原稿が製本されたものであることやその綴じ方向（右綴じ、左綴じ）、原稿読取装置１０に読み取る際の原稿の画像の向き（原稿の取り込み方向）、出力形式（記録媒体の片面に１ページを出力、記録媒体の片面に集約ページを出力等）、複製部数等の情報がある。ユーザーインターフェース２０３からの入力情報は、システム制御部２０１や画像出力制御部２１０等に出力される。
【００１４】
原稿読取装置１０は、原稿を読み取って画像データを出力する。図３は、原稿読取装置１０の概略構成を示す図である。図３に示すように、原稿読取装置１０は、原稿送り装置２０、スキャナ装置７０、及び処理装置１００を有する。
原稿送り装置２０は、原稿供給部２１、昇降支持部２２、送り出しロール（ピックアップロール）２３、供給ロール２４、及びリタードロール２５を有する。
【００１５】
原稿供給部２１は、原稿を置くことができるような形状をなしている。原稿供給部２１は、昇降支持部２２により昇降操作される。
送り出しロール２３は、昇降支持部２２により上昇させられた原稿供給部２１上の原稿を原稿送り装置２０内の第１搬送路４１に送り出す。具体的には、送り出しロール２３は、待機中には上昇して退避位置に保持され、原稿を送り出すときにニップ位置（原稿搬送位置）に降下して原稿供給部２１上の原稿（原稿束では最上位の原稿）を第１搬送路４１に送り出す。
【００１６】
供給ロール２４は、送り出しロール２３により送り出された原稿を更に下流側に搬送する。送り出しロール２３及び供給ロール２４は、フィードクラッチ（図示せず）の連結によって原稿を搬送する。リタードロール２５は、送り出しロール２３により供給される原稿を１枚ずつ捌く。
【００１７】
また、原稿送り装置２０は、最初に原稿が搬送される第１搬送路４１に、複数のロールを有する。具体的には、原稿送り装置２０は、第１搬送路４１に、テイクアウェイロール２６、プレレジロール２７、レジロール２８、プラテンロール２９、及びアウトロール３０を有する。
【００１８】
テイクアウェイロール２６は、リタードロール２５の下流側にあり、該リタードロール２５により一枚ずつに捌かれた原稿を下流側のプレレジロール２７に搬送する。プレレジロール２７は、テイクアウェイロール２６により搬送されてくる原稿を下流側のレジロール２８に搬送する。
レジロール２８は、原稿の読み込みの開始タイミングに合わせて回転しており、レジストレーション調整を施しながら原稿をプラテンロール２９（スキャナ装置７０）に供給する。
【００１９】
プラテンロール２９は、読み込み中の原稿の搬送を補助する。すなわち、プラテンロール２９は、レジロール２８により供給されてくる原稿をスキャナ装置７０の後述の第２プラテンガラス７３側に押圧する。アウトロール３０は、読み込まれた原稿を更に下流に搬送する。
また、原稿送り装置２０には、アウトロール３０の下流側に、第２搬送路４２及び第３搬送路４３が設けられている。さらに、原稿送り装置２０は、アウトロール３０の下流側に、切替ゲート５２及び第１排出ロール３１を有する。
【００２０】
切替ゲート５２は、第２搬送路４２と第３搬送路４３との切り替えを行い、原稿の搬送方向を切り替える。具体的には、切替ゲート５２は、片面原稿の読み取りを終了したときや両面原稿の両面読み取りを終了したときに、アウトロール３０から供給される原稿を第２搬送路４２に導くように切り替えられる。一方、切替ゲート５２は、片面読み取り後の両面原稿を反転させるために、両面原稿を第３搬送路４３に導くように切り替えられる。
【００２１】
第１排出ロール３１は、片面原稿の読み取り終了等したときに、アウトロール３０から供給される原稿を排出部５４に排出する。排出部５４は、原稿が積載可能な形状をなしている。
また、原稿送り装置２０には、第４搬送路４４及び第５搬送路４５が設けられている。これら第４及び第５搬送路４４，４５と前述の第３搬送路４３は、原稿送り装置２０において、原稿を反転させる搬送路を構成する。そのため、第３搬送路４３と第４搬送路４４とが繋がっており、第４搬送路４４と第５搬送路４５とが繋がっている。さらに、第５搬送路４５と第１搬送路４１とが繋がっている。
【００２２】
原稿送り装置２０は、第４搬送路４４に、インバータロール３２及びインバータピンチロール３３を有する。インバータロール３２及びインバータピンチロール３３は、第３搬送路４３を搬送されてきた原稿をスイッチバックさせる。具体的には、両面原稿を読み取りする際に、インバータピンチロール３３は、図示しないフィードクラッチがオフの状態で退避されてニップが開放されて、第３搬送路４３を搬送されてきた原稿を第４搬送路４４に導いている。その後、インバータピンチロール３３はニップされ、インバータロール３２が、第５搬送路４５を介して第１搬送路４１に有るプレレジロール２７に原稿を導いている。
【００２３】
また、原稿送り装置２０には、第６搬送路４６が設けられている。第６搬送路４６は、第３搬送部４３から第４搬送路４４に搬送された原稿を排出部５４に排出するための搬送路となる。原稿送り装置２０は、第６搬送路４６に、切替ゲート５３及び第２排出ロール３４を有する。
【００２４】
切替ゲート５３は、第５搬送路４５と第６搬送路４６との切り替えを行い、原稿の搬送方向を切り替える。具体的には、切替ゲート５３は、原稿を反転して排出させようとするとき、インバータピンチロール３３により搬送されてくる原稿を第６搬送路４６に導くように切り替えられる。第２排出ロール３４は、第６搬送路４６に搬送されてきた原稿を第１排出ロール３１に搬送する。第１排出ロール３１は、インバータピンチロール３３から供給される原稿を排出部５４に排出する。
【００２５】
以上のような原稿読取装置１０の構成により、片面原稿を読み取るときには、原稿供給部２１に置かれた原稿は、送り出しロール２３により原稿送り装置２０内に送り出されて、その後、第１搬送路４１を供給ロール２４、テイクアウェイロール２６、プレレジロール２７、レジロール２８により搬送される。そして、原稿は、スキャナ装置７０の後述の第２プラテンガラス７３上を通過する際にプラテンロール２９により該第２プラテンガラス７３側に押圧され、アウトロール３０に搬送される。その後、原稿は、アウトロール３０により第２搬送路４２に導かれて、第１排出ロール３１により排出部５４に排出される。
【００２６】
また、両面原稿を読み取るときには、片面原稿の読み取りと同様にして片面が読み取られた後、原稿は、アウトロール３０により第３搬送路４３を搬送されて、第４搬送路４４に導かれる。そして、原稿は、第４搬送路４４に有るインバータロール３２及びインバータピンチロール３３によりスイッチバックさせられ、第１搬送路４１に有るプレレジロール２７に導かれる。その後、原稿は、再度、第１搬送路４１をプレレジロール２７、レジロール２８により搬送される。そして、原稿は、スキャナ装置７０の後述の第２プラテンガラス７３上を通過する際に該プラテンロール２９により第２プラテンガラス７３側に押圧され、アウトロール３０に搬送される。その後、原稿は、アウトロール３０により第２搬送路４２に導かれて、第１排出ロール３１により排出部５４に排出される。
【００２７】
図３に示すように、スキャナ装置７０は、原稿送り装置２０によって搬送されてきた原稿の画像読み取りを行うように構成されている。スキャナ装置７０は、原稿送り装置２０を装置フレーム７１によって支えている。
スキャナ装置７０は、装置フレーム７１の上側面に、第１プラテンガラス７２及び第２プラテンガラス７３を有する。また、スキャナ装置７０は、装置フレーム７１内に、フルレートキャリッジ８０、ハーフレートキャリッジ９０、結像用レンズ７４、ＣＣＤ(Charge Coupled Device)イメージセンサ７５、及び駆動基板７６を有する。
【００２８】
第１プラテンガラス７２には、画像を読み取るべき原稿が静止させられた状態で置かれる。第２プラテンガラス７３は、原稿送り装置２０によって搬送中の原稿を読み取るための光の開口部を構成する。第２プラテンガラス７３は、長尺の板状構造の透明なガラスプレートである。
また、原稿送り装置２０の一部がスキャナ装置７０に支持されている。これにより、使用者は、第１プラテンガラス７２から原稿の画像を読み取る際に、原稿送り装置２０を持ち上げ第１プラテンガラス７２上に読み取り対象の原稿を置くことができるようになる。
【００２９】
フルレートキャリッジ８０は、第２プラテンガラス７３の下に静止し、第１プラテンガラス７２の全体に亘ってスキャンして画像を読み取るように構成されている。具体的には、フルレートキャリッジ８０は、照明ランプ８１及び第１ミラー８２を有する。このような構成により、フルレートキャリッジ８０は、照明ランプ８１から原稿に光を照射し、原稿から得られた反射光を第１ミラー８２で受光しハーフレートキャリッジ９０側に反射させる。
【００３０】
ハーフレートキャリッジ９０は、フルレートキャリッジ８０から得られた光を像結合部（結像用レンズ７４等）側に反射するように構成されている。具体的には、ハーフレートキャリッジ９０は、第１ミラー８２から得られた光を結像部に反射する第２ミラー９１及び第３ミラー９２を有する。
【００３１】
結像用レンズ７４は、第３ミラー９２で得られる光学像を光学的に縮小する。ＣＣＤイメージセンサ７５は、結像用レンズ７４によって結像された光学像を光電変換する。駆動基板７６は、ＣＣＤイメージセンサ７５を駆動する。ＣＣＤイメージセンサ７５によって得られた画像信号は、駆動基板７６を介して処理装置１００に送られる。
【００３２】
以上のようなスキャナ装置７０の構成において、第１プラテンガラス７２上に置かれた原稿の画像を読み取る際には、フルレートキャリッジ８０とハーフレートキャリッジ９０とが、スキャン方向（図３に示す矢印方向）に移動する。このとき、フルレートキャリッジ８０の照明ランプ８１の光が原稿の被読み取り面に照射されると共に、その原稿からの反射光が、第１ミラー８２、第２ミラー９１及び第３ミラー９２の順に反射されて結像用レンズ７４に導かれる。結像用レンズ７４に導かれた光は、ＣＣＤイメージセンサ７５の受光面上に結像される。ＣＣＤイメージセンサ７５は１次元のセンサであり、１ライン分を処理している。このライン方向（スキャンの主走査方向）の１ラインの読み取りが終了すると、副走査方向にフルレートキャリッジ８０を移動させ、原稿の次のラインを読み取る。これを原稿サイズ全体に亘って実行することで、１ページの原稿読み取りを完了させる。
【００３３】
一方、原稿送り装置２０によって搬送される原稿の画像を読み取る際には、その原稿が第２プラテンガラス７３上を通過するとき、フルレートキャリッジ８０及びハーフレートキャリッジ９０は、図３に示す実線の位置で停止した状態にある。この状態で、フルレートキャリッジ８０の照明ランプ８１の光が原稿の被読み取り面に照射されると共に、その原稿の１ライン目の反射光が、第１ミラー８２、第２ミラー９１及び第３ミラー９２を経て結像用レンズ７４に導かれる。結像用レンズ７４に導かれた光は、ＣＣＤイメージセンサ７５の受光面上に結像される。これにより、ＣＣＤイメージセンサ７５によって画像が読み込まれる。すなわち、ＣＣＤイメージセンサ７５によって主走査方向の１ライン分を処理した後、原稿送り装置２０によって搬送される原稿の次の主走査方向の１ラインが読み込まれる。これにより、原稿の先端が第２プラテンガラス７３の読み取り位置に到達し、原稿が第２プラテンガラス７３の読み取り位置を通過することによって、副走査方向に亘って１ページの読み取りが完了する。
【００３４】
図４は、処理装置１００の概略構成を示すブロック図である。
図４に示すように、処理装置１００は、信号処理部１１０及びスキャン動作制御部１２０を有する。
信号処理部１１０は、ＣＣＤイメージセンサ７５が得た画像信号を処理する。そのため、信号処理部１１０は、ＡＦＥ(Analog Front End)１１１、ＡＤＣ(Analog to Digital Converter)１１２、ディジタル処理部１１３、及び画像メモリ１１４を有する。
【００３５】
ＡＦＥ１１１は、入力される画像信号に対してアナログ信号の処理を行う。ＡＤＣ１１２は、ＡＦＥ１１１が出力したアナログ信号をディジタル信号に変換する。画像メモリ１１４には、ＡＤＣ１１２が出力したディジタル信号を基に画像データを書き込まれる。ディジタル処理部１１３は、ＡＤＣ１１２が出力したディジタル信号、すなわち、画像メモリ１１４上の画像データに対してシェーディング補正やオフセット補正等の各種処理を施す。ディジタル処理部１１３により処理されたディジタル信号（画像データ）は、画像出力制御部２１０に出力される。
【００３６】
スキャン動作制御部１２０は、スキャン動作に係る原稿送り装置２０及びスキャナ装置７０の動作を制御する。具体的には、スキャン動作制御部１２０は、両面読み取りの制御や片面読み取りの制御の各種の制御を含め、原稿送り装置２０及びスキャナ装置７０の全体を制御する。例えば、スキャン動作制御部１２０は、ユーザーインターフェース２０３を通じた使用者の選択（入力情報）等に基づいて、読み取りモードを設定し、原稿送り装置２０及びスキャナ装置７０を制御する。
【００３７】
また、スキャン動作制御部１２０は、ＣＣＤイメージセンサ７５やフルレートキャリッジ８０の照明ランプ８１を制御する。さらに、スキャン動作制御部１２０は、スキャナ装置７０におけるモータのオン／オフ等を行い、フルレートキャリッジ８０及びハーフレートキャリッジ９０のスキャン動作を制御する。
そして、スキャン動作制御部１２０は、原稿送り装置２０におけるモータの制御、各種ロールの動作、フィードクラッチの動作及びゲートの切り替え動作等を制御する。
【００３８】
画像出力制御部２１０は、原稿読取装置１０（処理装置１００）からの画像データが入力されると、その画像データを基に、画像形成ユニット２２０による画像形成をするための処理を行う。なお、画像出力制御部２１０の処理等については後でさらに詳しく説明する。
具体的には、画像形成ユニット２２０は、図１に示すように、感光体ドラム２２１、画像書込装置２２２、現像器２２３、転写ローラ２２４、定着器２２５、及びクリーナー２２６を有する。このような構成からなる画像形成ユニット２２０の画像形成工程は次のようになる。
【００３９】
感光体ドラム２２１では、図示しない帯電器によって表面が帯電された後、画像出力制御部２１０が得た画像データ（指令信号）を基に、画像書込装置２２２により露光され、静電潜像が形成される。一方、現像器２２３では、図示しないトナー収納容器からトナーが供給され、現像器２２３の内部で撹拌される。感光体ドラム２２１上に形成される静電潜像は、現像器２２３の例えば現像ローラを介して現像されて、感光体ドラム２２１上にトナー像が形成される。感光体ドラム２２１上に形成されたトナー像は、転写ローラ２２４が感光体ドラム２２１に接触して構成されている転写部にて記録媒体に転写され、定着器２２５にて加熱定着される。一方、転写後に感光体ドラム２２１上に残る残留トナーは、クリーナー２２６により感光体ドラム２２１上から剥ぎ取られて回収される。
【００４０】
なお、画像形成装置としては、白黒の画像形成を行うもののみならず、カラーの画像形成を行うものについても本実施形態を適用することができる。
また、画像形成装置本体２００には、画像形成装置本体２００の下側に、記録媒体収容部２４１，２４２，２４３，２４４が内装されている。また、画像形成装置本体２００内には、記録媒体搬送路２６１が上下方向に延びて設けられている。
【００４１】
記録媒体収容部２４１，２４２，２４３，２４４は、記録媒体（例えば用紙束）が積載可能な形状をなしている。そして、記録媒体収容部２４１，２４２，２４３，２４４は、画像形成装置本体２００内で上下方向に配列されて、それぞれが記録媒体搬送路２６１に隣り合うように配置されている。
【００４２】
各記録媒体収容部２４１，２４２，２４３，２４４は、送り出しローラ２５１、供給ローラ２５２、及びリタードローラ２５３を有する。送り出しローラ２５１、供給ローラ２５２及びリタードローラ２５３は、記録媒体収容部２４１，２４２，２４３，２４４に収容されている記録媒体を記録媒体搬送路２６１に送り出す送出部を構成する。送り出しローラ２５１は、上下移動するように構成されている。
【００４３】
画像形成装置本体２００では、このような構成により、不図示のさばき装置が記録媒体をさばいて、送り出しローラ２５１、供給ローラ２５２及びリタードローラ２５３により記録媒体収容部２４１，２４２，２４３，２４４から記録媒体を１枚ずつ取り出し記録媒体搬送路２６１に送り出す。
【００４４】
記録媒体搬送路２６１には、搬送ローラ２６２、第１及び第２切替ゲート２６３，２６４、搬送ローラ２６５、並びに第１、第２及び第３排出ローラ２６６，２６７，２６８が設けられている。また、画像形成装置本体２００は、使用者が画像形成された記録媒体を取り出し可能な位置に第１、第２及び第３排出部２７１，２７２，２７３を有する。第１及び第２切替ゲート２６３，２６４、搬送ローラ２６５、並びに第１、第２、及び第３排出ローラ２６６，２６７，２６８は、これら第１、第２及び第３排出部２７１，２７２，２７３の何れかに記録媒体を排出する記録媒体の排出系を構成する。そして、記録媒体搬送路２６１の途中であって、この記録媒体の排出系と搬送ローラ２６２との間に位置するように画像形成ユニット２２０が配置されている。
【００４５】
搬送ローラ２６２は、供給ローラ２５２により送り出された記録媒体を画像形成ユニット２２０に向けて記録媒体搬送路２６１を搬送する。
また、画像形成ユニット２２０から送り出された記録媒体は、記録媒体の排出系において、先ず第１切替ゲート２６３に搬送される。記録媒体の排出系では、この第１切替ゲート２６３と第２切替ゲート２６４との間に搬送ローラ２６５が配置されている。
【００４６】
第１切替ゲート２６３は、画像形成ユニット２２０から送り出された記録媒体の搬送方向を切り替える。この第１切替ゲート２６３により、画像形成ユニット２２０から送り出された記録媒体は、搬送ローラ２６５及び第１排出ローラ２６６の何れかに搬送される。第１排出ローラ２６６に搬送された場合、記録媒体は、画像形成面（両面印刷の場合には、最初に画像形成された面）が下にされた状態で第２排出部２７２に排出される。また、搬送ローラ２６５に搬送された記録媒体は、第２切替ゲート２６４に向けて搬送される。
【００４７】
第２切替ゲート２６４は、搬送ローラ２６５により搬送されてきた記録媒体の搬送方向を切り替える。この第２切替ゲート２６４により、搬送ローラ２６５により搬送されてきた記録媒体は、第２排出ローラ２６７及び第３排出ローラ２６８の何れかに搬送される。第２排出ローラ２６７に搬送された場合、記録媒体は、画像形成面が下にされた状態で第１排出部２７１に排出される。また、第３排出ローラ２６８に搬送された記録媒体は、画像形成面が上にされた状態で第３排出部（フェースアップ排出部）２７３に排出される。
【００４８】
例えば、ユーザーインターフェース２０３に対して使用者が入力した指示内容や複製する原稿の情報を基に、第１、第２及び第３排出部２７１，２７２，２７３の何れかに記録媒体が排出される。
また、画像形成装置本体２００は、記録媒体反転用搬送路２７４を有する。記録媒体反転用搬送路２７４は、記録媒体の両面に画像形成する場合に、片面に画像形成した後の記録媒体を転写部（感光体ドラム２２１と転写ローラ２２４との接触部）に反転して送るための搬送路である。
【００４９】
また、画像形成装置本体２００は、その側面に、手差し供給部２７５を有する。
ここで、以上のような構成の画像形成装置で製本された原稿を複製する場合を考えてみる。
【００５０】
先ず、図５及び図６を用いて、ここでいう製本された原稿（又は製本モードの原稿ともいう。）について説明する。
製本された原稿とは、図５に示すように、１枚の原稿の両面に２ページずつを割り付けて画像が印刷されており、図６に示すように、その原稿を重ねて二つ折りにした冊子にしたときに正しい順序でページ（本例では８ページ）が並ぶ原稿をいう。これにより、製本された原稿では、１枚目の表面の一方に１ページ目の画像が形成され、１枚目の表面の他方に最終ページ目の画像が形成されている。なお、図５に示す製本された原稿は、左綴じで製本された原稿となる。
【００５１】
以上のような構成の画像形成装置で、このような製本された原稿を複製しようとする場合、製本された各原稿を原稿読取装置１０で順次読み取ってそれぞれ画像データを取得し、その各画像データをＨＤＤ等の記憶部に記憶することが考えられる。そして、記憶部内で各画像データを分割して、分割して得た各画像データを原稿のページ順に配列させてから、その配列順の画像データに従って、画像形成ユニット２２０で画像形成することが考えられる。
【００５２】
しかし、これだと、原稿読取装置１０で製本された各原稿の全てを読み込んだ後に、画像形成ユニット２２０で画像形成が開始されることなる。このようなことから、このような構成と比較して、複製効率がより高い構成の提供が望まれる。
【００５３】
次に、そのような複製効率を高くすることを実現する本実施形態における構成を説明する。
先ず、画像出力制御部２１０の処理等について詳しく説明する。図７は、画像出力制御部２１０を機能的に示すブロック図である。
【００５４】
図７に示すように、画像出力制御部２１０は、出力判定部２１１、画像分割部２１２、画像記憶制御部２１３、画像判定部２１４、及び出力制御部２１５を有する。これら各部の処理を図８及び図９を用いて説明する。
【００５５】
図８は、出力判定部２１１の処理手順を示すフローチャートである。
図８に示すように、先ずステップＳ１において、出力判定部２１１は、使用者によりユーザーインターフェース２０３に入力された入力情報を取得する。
続くステップＳ２において、出力判定部２１１は、前記ステップＳ１で取得した入力情報から出力対象の原稿が製本されたものか否かを判定する。出力判定部２１１は、製本された原稿と判定すると、ステップＳ３に進む。また、出力判定部２１１は、製本された原稿でないと判定すると、すなわち、通常の原稿のとき、ステップＳ６に進む。
【００５６】
ステップＳ６では、出力判定部２１１は、通常の出力を行う決定をする。
一方、ステップＳ３では、出力判定部２１１は、前記ステップＳ１で取得した入力情報から原稿の製本情報を取得する。具体的には、出力判定部２１１は、右綴じ又は左綴じの情報を取得する。
続くステップＳ４において、出力判定部２１１は、前記ステップＳ１で取得した入力情報から画像の向き情報を取得する。例えば、出力判定部２１１は、原稿の取り込み方向の情報を画像の向き情報として取得する。
【００５７】
続くステップＳ５において、出力判定部２１１は、前記ステップＳ１で取得した入力情報から原稿の出力形式の情報を取得する。具体的には、出力判定部２１１は、記録媒体の片面に画像を１ページ単位で出力するのか、記録媒体の片面に画像を集約ページとして出力するのか、記録媒体の片面に集約ページで出力する場合にはその片面に何ページ分を出力するのか等の情報を取得する。
続くステップＳ１０において、出力判定部２１１は、製本原稿対応の出力を行う決定をする。
【００５８】
図９は、このステップＳ１０のサブルーチンを示すフローチャートである。
図９に示すように、先ずステップＳ１１において、画像分割部２１２は、画像データを取り込み可能か否かを判定する。具体的には、処理装置１００から１枚の原稿の片面の画像データが出力されてきたか否かを判定する。画像分割部２１２は、画像データを取り込み可能であると判定したとき、ステップＳ１２に進む。
【００５９】
ステップＳ１２では、画像分割部２１２は、処理装置１００が出力してきた（画像メモリ１１４から出力される）画像データを取り込む。
続くステップＳ１３において、画像分割部２１２は、前記ステップＳ１２で取り込んだ画像データを分割する。すなわち、画像分割部２１２は、片面の画像データを二分割して２ページ分の画像データにする。例えば、図７に示すように、画像分割部２１２は、作業用メモリ２１２ａを備えており、その作業用メモリ２１２ａ上で画像データを分割する。
【００６０】
続くステップＳ１４において、画像判定部２１４は、前記ステップＳ１３で分割した画像データの一方が前半ページのものか否かを判定する。このとき、画像判定部２１４は、前記ステップＳ３及びステップＳ４で取得した原稿情報（綴じ方向の情報）及び画像の向き情報を基に判定をする。画像判定部２１４は、分割した画像データの一方が前半ページのものと判定すると、ステップＳ１５に進む。また、画像判定部２１４は、分割した画像データの一方が前半ページのものでないと判定すると、すなわち、分割した画像データの一方が後半ページのものの場合、ステップＳ１５をスキップしてステップＳ１６に進む。
【００６１】
ステップＳ１５では、出力制御部２１５は、前記ステップＳ１４で前半ページのものと判定した画像データに基づく出力処理をする。すなわち、出力制御部２１５は、該画像データを基に、指令信号により画像形成ユニット２２０を制御して記録媒体に画像形成させる。
ステップＳ１６では、画像記憶制御部２１３は、前記ステップＳ１４で前半ページのものと判定した画像データをＨＤＤ２０４に記憶させる。
【００６２】
続くステップＳ１７において、画像判定部２１４は、前記ステップＳ１３で分割した画像データの他方が前半ページのものか否かを判定する。このとき、画像判定部２１４は、前記ステップＳ３で取得した原稿情報（綴じ方向の情報）及び画像の向き情報を基に判定をする。画像判定部２１４は、分割した画像データの他方が前半ページのものと判定すると、ステップＳ１８に進む。また、画像判定部２１４は、分割した画像データの他方が前半ページのものでないと判定すると、すなわち、分割した画像データの一方が前半ページのものの場合、ステップＳ１８をスキップしてステップＳ１９に進む。
【００６３】
ステップＳ１８では、出力制御部２１５は、前記ステップＳ１７で前半ページのものと判定した画像データの出力処理をする。すなわち、出力制御部２１５は、該画像データを基に、指令信号により画像形成ユニット２２０を制御して記録媒体に画像形成させる。
ステップＳ１９では、画像記憶制御部２１３は、前記ステップＳ１７で前半ページのものと判定した画像データをＨＤＤ２０４に記憶させる。
【００６４】
続くステップＳ２０において、画像出力制御部２１０（例えば画像分割部２１２又は画像判定部２１４）は、全ての画像データ（全原稿についての両面の画像データ）を読み込んだか否かを判定する。画像出力制御部２１０は、全ての画像データを読み込んだと判定すると、ステップＳ２１に進む。また、画像出力制御部２１０は、全ての画像データを読み込んでいないと判定すると、前記ステップＳ１１から処理を再び行う。このステップＳ２０の判定処理により、原稿の全枚数分について両面の画像データが読み込まれることになる。
【００６５】
ステップＳ２１では、画像記憶制御部２１３は、ＨＤＤ２０４内に記憶されている全画像データを原稿のページ順に並べ替える。ここで、全画像データとは、全原稿について両面の画像データであって、前半ページ及び後半ページの何れかに対応する画像データ群である。ステップＳ２１では、画像記憶制御部２１３は、このような画像データ群をページ順に並べ替える。
【００６６】
続くステップＳ２２において、画像出力制御部２１０（例えば出力制御部２１５）は、前半ページの画像データの全ての出力（記録媒体への画像形成）が完了したか否かを判定する。画像出力制御部２１５は、前半ページの画像データの全ての出力が完了したと判定すると、ステップＳ２３に進む。
【００６７】
ステップＳ２３では、出力制御部２１５は、後半ページの画像データの全ての出力処理をする。具体的には、出力制御部２１５は、画像記憶制御部２１３により、並べ替えられている後半ページの画像データをＨＤＤ２０４から順次読出し、出力処理をする。すなわち、出力制御部２１５は、順次読出した画像データを基に、指令信号により画像形成ユニット２２０を制御して記録媒体に画像形成させる。
【００６８】
続くステップＳ２４において、出力制御部２１５は、前記ステップＳ１で取得した入力情報を基に、複数部（ｎ部）の出力が必要か否かを判定する。出力制御部２１５は、複数部（ｎ部）の出力が必要と判定すると、ステップＳ２５に進む。また、出力制御部２１５は、そうでない場合、すなわち１部の出力の場合、該図９（図８）の処理を終了する。
ステップＳ２５では、出力制御部２１５は、ｎから１を引き算して、その値をｎに戻す（ｎ＝ｎ−１）。
【００６９】
続くステップＳ２６において、出力制御部２１５は、画像記憶制御部２１３により、並べ替えられている後半ページの画像データをＨＤＤ２０４から順次読出し、出力処理をする。
続くステップＳ２７において、出力制御部２１５は、ｎが０か否かを判定する。出力制御部２１５は、ｎが０であると判定すると（ｎ＝０）、すなわち、全部数分の出力が終了したと判定すると、該図９（図８）の処理を終了する。また、出力制御部２１５は、ｎが０でないと判定すると（ｎ≧１）、前記ステップＳ２５から処理を開始する。
【００７０】
次に、画像形成装置における製本された原稿を複製する場合の動作を説明する。
原稿供給部２１に原稿が置かれて、使用者により、製本された原稿の情報（右綴じ又は左綴じの情報）、原稿の画像の向き情報、出力形式の情報、及び複製部数の情報等の原稿の複製に必要な情報がユーザーインターフェース２０３に入力され、ユーザーインターフェース２０３に印刷開始の指令がなされると（例えば、ユーザーインターフェース２０３の開始ボタンが押されると）、原稿読取装置１０は、原稿供給部２１に置かれた原稿の読み取りを開始する。
【００７１】
これにより、原稿読取装置１０は、原稿送り装置２０により原稿供給部２１に置かれている原稿を一枚ずつスキャナ装置７０の第２プラテンガラス７３に送り、スキャナ装置７０により一枚ずつ表裏面の画像を読み取る（図３の説明参照）。そして、原稿読取装置１０は、読み取って取得した画像データに対して処理装置１００にて様々な処理を行う（図４の説明参照）。そして、原稿読取装置１０は、処理済みの画像データを順次、画像出力制御部２１０に出力していく。
【００７２】
一方、画像出力制御部２１０は、ユーザーインターフェース２０３からの入力情報を基に出力対象の原稿が製本されたものと判定すると、入力情報から製本された原稿の情報、画像の向き情報及び原稿の出力形式の情報を取得して、製本原稿対応の出力を行う（図８、図９参照）。
【００７３】
すなわち、画像出力制御部２１０は、処理装置１００から画像データ（画像メモリ１１４から出力される処理済みの画像データ）が出力されてくると、その画像データを取り込み、取り込んだ画像データを分割する（前記ステップＳ１１、ステップＳ１２、ステップＳ１３）。
【００７４】
そして、画像出力制御部２１０は、分割した画像データの一方が前半ページのものであるとき、その画像データを基に出力処理するとともにその画像データをＨＤＤ２０４に記憶させる（前記ステップＳ１４、ステップＳ１５、ステップＳ１６）。一方、画像出力制御部２１０は、分割した画像データの一方が前半ページのものでないと判定すると、その画像データ、すなわち、後半ページの画像データをＨＤＤ２０４に記憶させる（前記ステップＳ１４、ステップＳ１６）。
【００７５】
また、画像出力制御部２１０は、分割した画像データの他方が前半ページのものであるとき、その画像データを基に出力処理するとともにその画像データをＨＤＤ２０４に記憶させる（前記ステップＳ１７、ステップＳ１８、ステップＳ１９）。一方、画像出力制御部２１０は、分割した画像データの他方が前半ページのものでないと判定すると、その画像データ、すなわち、後半ページの画像データをＨＤＤ２０４に記憶させる（前記ステップＳ１７、ステップＳ１９）。
【００７６】
そして、画像出力制御部２１０は、原稿読取装置１０が出力してくる全ての画像データを分割して、その画像データについての処理（出力処理及び記憶処理）を終了すると、ＨＤＤ２０４内に記憶されている全画像データを原稿のページ順に並べ替える処理を行う（前記ステップＳ２０、ステップＳ２１）。
【００７７】
そして、画像出力制御部２１０は、前半ページの画像データの全てについて出力処理（記録媒体への画像形成）が完了したとき、ＨＤＤ２０４に記憶されている後半ページの画像データの全てについて出力処理をする（前記ステップＳ２２、ステップＳ２３）。そして、画像出力制御部２１０は、必要に応じて複数部数の出力処理を行う（前記ステップＳ２４、ステップＳ２５、ステップＳ２６、ステップＳ２７）。
【００７８】
なお、製本された原稿でない通常の原稿の画像を記録媒体に形成するときには、通常の出力処理（前記ステップＳ５）として、ユーザーインターフェース２０３からの入力情報等に応じた出力処理を行う。
画像形成ユニット２２０では、以上のような画像出力制御部２１０の処理の結果、該画像出力制御部２１０から順次送られてくる指令信号（画像データ）を基に、電子写真方式により記録媒体に画像形成する。画像形成された記録媒体は、記録媒体の搬送系により第１、第２及び第３排出部２７１，２７２，２７３の何れかに排出される。
【００７９】
図１０乃至図１２は、以上の動作により、図５に一例として示した製本された原稿が読み込まれ、記録媒体に画像形成されるまでの流れを示す。
原稿読取装置１０は、図５に示した製本された各原稿を読み取りながら、図１０に示すように、原稿の一枚毎にその表裏面毎に画像データを取得する。そして、原稿読取装置１０は、その取得した画像データに対して処理装置１００にて様々な処理を行い、処理済みの画像データを順次、画像出力制御部２１０に出力していく。
【００８０】
画像出力制御部２１０は、処理装置１００から画像データが出力されてくると、その画像データを順次取り込む。そして、画像出力制御部２１０は、図１１に示すように、順次取り込んだ画像データを分割し、前半ページの画像データを基に出力処理するとともに該画像データをＨＤＤ２０４に記憶させ、後半ページの画像データをＨＤＤ２０４に記憶させていく。
【００８１】
そして、画像出力制御部２１０は、原稿読取装置１０が出力する全ての画像データ（本例では、「４」及び「５」の原稿面の画像データ）についてそれらの処理を終了すると、ＨＤＤ２０４内に記憶している画像データを原稿のページ順に並べ替える処理を行う。
これにより、原稿読取装置１０による原稿の読み取り中に、すなわち、原稿全てが読み取り完了する前に、画像形成ユニット２２０にて前半ページの画像データを基に順次記録媒体に画像形成され、その画像形成された記録媒体が、図１２に示すように、排出部に順次排出されていく。
【００８２】
そして、画像形成ユニット２２０にて前半ページの画像データを基に順次記録媒体に画像形成された後、ＨＤＤ２０４に記憶された後半ページの画像データを基に画像形成されるため、その画像形成された記録媒体が、図１２に示すように、前半ページの画像データに基づいて画像形成された記録媒体の排出に続いて排出部に順次排出されていく。例えば、第１排出部２７１又は第２排出部２７２に、画像形成された記録媒体が順次排出されていく。
【００８３】
このように、画像形成装置では、原稿読取装置１０が製本された各原稿を順次読み取り取得した画像データを分割し、分割により取得した各画像データを前半ページの画像データと後半ページの画像データとに分けていくとともに、原稿の読み取り中に、前半ページの各画像データに基づく画像形成を、後半ページの各画像データに基づく画像形成に先立って開始している。
【００８４】
これにより、製本された各原稿の読み取りと並行して読み取った原稿の画像形成ができる。
なお、実施形態では、取得手段として原稿読取装置１０を用いている。また、分割手段として画像分割部２１２を用いている。また、画像形成手段及び開始手段として、画像出力制御部２１０（出力制御部２１５）及び画像形成ユニット２２０を用いている。
【００８５】
また、本実施形態の変形例として次のようなものが挙げられる。
本実施形態では、前半ページの画像データに基づく出力処理をしながら、その画像データをＨＤＤ２０４に記憶している。これに対して、本実施形態の変形例では、後半ページの画像データに基づく出力処理をしながら、その画像データをＨＤＤ２０４に記憶することもできる。すなわち、本実施形態の変形例では、原稿の読み取り中に、後半ページの各画像データに基づく画像形成を、前半ページの各画像データに基づく画像形成に先立って開始することもできる。
【００８６】
この場合、この変形例に応じた処理を行うことは言うまでもない。例えば、記録媒体の排出について、図１３に示すような処理を行う。図１３に示すように、記録媒体の排出系の駆動を制御する駆動制御部（例えばシステム制御部２０１内の駆動制御部）は、先ずステップＳ３１において、始めに前半ページの画像データに基づいて記録媒体に画像形成されているか否かを判定する。駆動制御部は、始めに前半ページの画像データに基づいて記録媒体に画像形成されていると判定すると、ステップＳ３２に進む。また、駆動制御部は、始めに前半ページの画像データに基づいて記録媒体に画像形成されていない、すなわち、後半ページの画像データに基づいて記録媒体に画像形成されていると判定すると、ステップＳ３３に進む。
【００８７】
ステップＳ３２では、駆動制御部は、画像形成ユニット２２０で画像形成が終了した記録媒体が搬送されてくると、第１切替ゲート２６３等を制御して、第１排出部２７１又は第２排出部２７２にその記録媒体を排出する。また、ステップＳ３３では、駆動制御部は、画像形成ユニット２２０で画像形成が終了した記録媒体が搬送されてくると、第１切替ゲート２６３等を制御して、第３排出部２７３にその記録媒体を排出する。これにより、予め定められた順序として記録媒体が最後のページ側のものから排出されていくようになる。
【００８８】
また、本実施形態では、予め定められた順序を原稿のページの順番として画像形成した記録媒体を出力している。これに対して、本実施形態の変形例では、使用者等の指定した順序で画像形成した記録媒体を出力することもできる。
また、本実施形態の変形例として、前半ページや後半ページの画像データが原稿において何も印刷されていない部分（白紙面）のものであるときは、その画像データに基づく出力処理をしないようにすることもできる。この場合の画像データに基づく印刷の有無の判定については、画像出力制御部２１０は、画像データの画像濃度を基に行う。
【００８９】
この変形例により、原稿において何も印刷されていない部分の画像形成も行う場合と比較して、全原稿についての画像形成完了時間を早くできる。
また、本実施形態では、画像データを分割したりＨＤＤ２０４に記憶させたりするための構成を画像出力制御部２１０のものとして構成している。これに対して、本実施形態の変形例では、画像データを分割したりＨＤＤ２０４に記憶させたりするための構成を、画像出力制御部２１０とは別個のもの、例えば、処理装置１００側のものとして構成することもできる。
【００９０】
例えば、処理装置１００で画像データを分割する場合には、画像メモリ１１４において各種処理後に画像データを分割してもよい。
また、本実施形態の変形例として、１部だけ複製する場合には、前半ページ及び後半ページの画像データのうち先に画像形成する方をＨＤＤ２０４に記憶させることなく、前半ページ及び後半ページの画像データのうち後に画像形成する方をＨＤＤ２０４に記憶させるようにしてもよい。すなわち、前半ページ及び後半ページの画像データのうち後に画像形成する方だけをＨＤＤ２０４を経由させて画像形成する。
【００９１】
これにより、前半ページ及び後半ページの画像データのうち先に画像形成する方もＨＤＤ２０４に記憶させる場合と比較して、ＨＤＤ２０４の記憶容量を少なくすることができる。
また、本実施形態では、電子写真方式により画像形成している。これに対して、本実施形態の変形例では、インクジェット記録方式等の他の印刷方式により画像形成することとしてもよい。
【００９２】
また、前述のような各種処理を実現可能とするコンピュータの制御プログラムを通信手段により提供することはもちろん、ＣＤ−ＲＯＭ等の記憶媒体に格納して提供することもできる。
【符号の説明】
【００９３】
１０  原稿読取装置、１００  処理装置、２１０  画像出力制御部、２１２  画像分割部、２１５  出力制御部、２２０  画像形成ユニット
【図１】
2011188251.tif 000003
【図２】
2011188251.tif 000004
【図３】
2011188251.tif 000005
【図４】
2011188251.tif 000006
【図５】
2011188251.tif 000007
【図６】
2011188251.tif 000008
【図７】
2011188251.tif 000009
【図８】
2011188251.tif 000010
【図９】
2011188251.tif 000011
【図１０】
2011188251.tif 000012
【図１１】
2011188251.tif 000013
【図１２】
2011188251.tif 000014
【図１３】
2011188251.tif 000015